(57)【要約】【課題】簡易な構成で、ハードディスクドライブ等の記憶装置のデータを迅速且つ簡単に読み出すことが出来ないようにする記憶装置用破壊装置を提供する。【解決手段】ハードディスクドライブ内に液剤Ａを押出すためのシリンダーガン状に形成された液剤押出装置１０と、液剤押出装置１０と一体的に構成されたノズル挿入装置２０とを備えている。挟持部２１に取着されたノズル部１２の先端がハードディスクドライブの呼吸孔に貼られたシール部１０５の上に位置するように挟持部２１でハードディスクドライブを挟み、力を入れて把持部を握る。これにより、ノズル部の先端がシール部等を破って、その先端部がハードディスクドライブ１００内に挿入される。次に、ピストンロッド１３を押して、液剤収納部１１に収納された液剤をハードディスクドライブ内に注入する。【選択図】図１
2009004008.tif 000002
【特許請求の範囲】
【請求項１】
液剤を収納する収納部と、
前記収納部に連通する、前記収納部に収納された液剤を外部に排出するためのノズル部と、を備え、
前記ノズル部から前記液剤を記憶装置内部に注入することにより前記記憶装置に記憶しているデータを読み出すことが出来ないようにすることを特徴とする記憶装置用破壊装置。
【請求項２】
前記液剤は、磁性液剤、導電性液剤、接着液剤或いは化学溶剤であることを特徴とする請求項１記載の記憶装置用破壊装置。
【請求項３】
前記記憶装置はハードディスクドライブであり、前記ハードディスクドライブの表面に形成された孔に前記ノズル部の先端部を挿入して、前記収納部に収納された前記液剤を前記ハードディスクドライブ内に注入することを特徴とする請求項１又は２記載の記憶装置用破壊装置。
【請求項４】
前記ハードディスクドライブの表面に形成された孔は、呼吸口であることを特徴とする請求項３記載の記憶装置用破壊装置。
【請求項５】
ポンプ機構を用いて前記液剤を注入することを特徴とする請求項１乃至４の何れか１項に記載の記憶装置用破壊装置。
【請求項６】
高圧ガスのガス圧を用いて前記液剤を注入することを特徴とする請求項１乃至４の何れか１項に記載の記憶装置用破壊装置。
【請求項７】
収納部に収納された液剤を記憶装置内に注入することにより前記記憶装置に記憶されたデータを読み出すことが出来ないようにすることを特徴とする記憶装置破壊方法。
【請求項８】
前記液剤は、磁性液剤、導電性液剤、接着液剤或いは化学溶剤であることを特徴とする請求項７記載の記憶装置破壊方法。
【請求項９】
前記記憶装置はハードディスクドライブであり、前記液剤は前記ハードディスクドライブの表面に形成された孔から前記ハードディスクドライブ内に注入することを特徴とする請求項７又は８記載の記憶装置破壊方法。
【請求項１０】
前記ハードディスクドライブの表面に形成された孔は、呼吸口であることを特徴とする請求項９記載の記憶装置破壊方法。
【請求項１１】
ポンプ機構を用いて前記液剤を注入することを特徴とする請求項７乃至１０の何れか１項に記載の記憶装置破壊方法。
【請求項１２】
高圧ガスのガス圧を用いて前記液剤を注入することを特徴とする請求項７乃至１０の何れか１項に記載の記憶装置破壊方法。
【発明の詳細な説明】
【技術分野】
【０００１】
本発明は、コンピュータに搭載されている各種の記憶装置、例えばハードディスクドライブの記憶機能を破壊する記憶装置用破壊装置及び記憶装置破壊方法に関するものである。
【背景技術】
【０００２】
コンピュータには、ハードディスクドライブに代表される各種の記憶装置が備わっている。近年、情報管理の重要性から、コンピュータを破棄する際には、データの漏洩を防ぐために、ハードディスクドライブの中身を消去することが常識となっている。しかしながら、ハードディスクドライブは、単純にソフトウエアで、記憶したデータの消去を行うだけでは、消したはずのデータを復旧できてしまうことがある。確実にデータを読み取ることが出来ないようにする方法として、ハードディスクドライブを物理的に破壊する方法がある。
【０００３】
特許文献１の破壊装置は、押圧ヘッドと受台でハードディスクドライブを挟んで押圧することによりハードディスクドライブを破壊するものである。また、特許文献２の破壊装置はハードディスクドライブの複数個所に貫通穴を形成することによりハードディスクドライブを破壊するものである。
【０００４】
【特許文献１】特開２００５−０８５４１２号公報
【特許文献２】特開２００４−２５５０３２号公報
【発明の開示】
【発明が解決しようとする課題】
【０００５】
しかしながら、両文献に記載された従来の破壊装置は、高価なものであり、ベンチャー企業や個人で所有することはできない。また、従来の破壊装置は、ハードディスクドライブのデータを読み出すことができないようにすることはできるが、装置が大掛かりなものとなり、持ち歩くことはできない。したがって、従来の破壊装置では、コンピュータ本体から取り外したハードディスクドライブを、その破壊装置が設置してある場所に持って行って破壊しなければならず、ハードディスクドライブのデータを迅速且つ簡単に読み出すことが出来ないようにすることは難しい、という問題があった。
【０００６】
本発明は上記事情に基づいてなされたものであり、簡易な構成で、ハードディスクドライブ等の記憶装置のデータを迅速且つ簡単に読み出すことが出来ないようにする記憶装置用破壊装置及び記憶装置破壊方法を提供することを目的とするものである。
【課題を解決するための手段】
【０００７】
上記の目的を達成するために、本発明に係る記憶装置用破壊装置は、液剤を収納する収納部と、収納部に連通する、収納部に収納された液剤を外部に排出するためのノズル部と、を備え、ノズル部から液剤を記憶装置内部に注入することにより記憶装置に記憶しているデータを読み出すことが出来ないようにするものである。本発明によれば、液剤を記憶装置内に注入することにより、記憶装置のデータを迅速且つ簡単に読み出すことができないようにすることができる。
【０００８】
液剤は、磁性液剤、導電性液剤、接着液剤或いは化学溶剤であることが望ましい。磁性液剤を記憶装置内に注入することにより、記憶装置内に磁気的に記憶しているデータを破壊することができる。また、導電性液剤を記憶装置内に注入することにより、記憶装置に通電して記憶装置を破壊することができる。更に、接着性液剤を記憶装置内部に注入することにより、記憶装置を物理的に動作不能にすることができる。また、化学溶剤を記憶装置内部に注入することにより、記憶装置内のディスク磁性膜を化学的に溶解し、データを破壊することができる。
【０００９】
記憶装置がハードディスクドライブであるときには、ハードディスクドライブの表面に形成された孔に、ノズル部の先端部を挿入して、収納部に収納された液剤をハードディスクドライブ内に注入することが望ましい。ハードディスクドライブの表面に形成された孔にノズル部の先端部を挿入して、収納部に収納された液剤をハードディスクドライブ内に注入することにより、ハードディスクドライブに新たに孔をあけることなく、液剤をハードディスクドライブ内に注入することができる。
【００１０】
ハードディスクドライブの表面に形成された孔は、呼吸口であってもよい。ハードディスクドライブの表面に形成された呼吸孔にノズル部の先端部を挿入して、収納部に収納された液剤をハードディスクドライブ内に注入することにより、ハードディスクドライブに新たに孔をあけることなく、液剤をハードディスクドライブ内に注入することができる。
【００１１】
ポンプ機構を用いて液剤を注入することが望ましい。これにより、液剤を容易且つ確実に記憶装置内に注入することができる。
【００１２】
高圧ガスのガス圧を用いて液剤を注入することが望ましい。これにより、電源が使えなくても、液剤を迅速に、且つ容易・確実に記憶装置内に注入することができる。
【００１３】
上記の目的を達成するために、本発明に係る記憶装置破壊方法は、収納部に収納された液剤を記憶装置内に注入することにより記憶装置に記憶されたデータを読み出すことが出来ないようにするものである。本発明によれば、液剤を記憶装置内に注入することにより、記憶装置のデータを迅速且つ簡単に読み出すことが出来ないようにすることができる。
【００１４】
液剤は、磁性液剤、導電性液剤、接着液剤或いは化学溶剤であることが望ましい。磁性液剤を記憶装置内に注入することにより、記憶装置内に磁気的に記憶しているデータを破壊することができる。また、導電性液剤を記憶装置内に注入することにより、記憶装置に通電して記憶装置を破壊することができる。更に、接着性液剤を記憶装置内部に注入することにより、記憶装置を物理的に動作不能にすることができる。また、化学溶剤を記憶装置内部に注入することにより、記憶装置内のディスク磁性膜を化学的に溶解し、データを破壊することができる。
【００１５】
記憶装置がハードディスクドライブであるときには、液剤はハードディスクドライブの表面に形成された孔からハードディスクドライブ内に注入することが望ましい。ハードディスクドライブの表面に形成された孔から、収納部に収納された液剤をハードディスクドライブ内に注入することにより、ハードディスクドライブに新たに孔をあけることなく、液剤をハードディスクドライブ内に注入することができる。
【００１６】
ハードディスクドライブの表面に形成された孔は、呼吸口であってもよい。ハードディスクドライブの表面に形成された呼吸孔から、収納部に収納された液剤をハードディスクドライブ内に注入することにより、ハードディスクドライブに新たに孔をあけることなく、液剤をハードディスクドライブ内に注入することができる。
【００１７】
ポンプ機構を用いて液剤を注入することが望ましい。これにより、液剤を容易且つ確実に記憶装置内に注入することができる。
【００１８】
高圧ガスのガス圧を用いて液剤を注入することが望ましい。これにより、電源が使えなくても、液剤を迅速に、且つ容易・確実に記憶装置内に注入することができる。
【発明の効果】
【００１９】
本発明によれば、液剤をハードディスクドライブ等の記憶装置内に注入することにより、簡易な構成で、記憶装置内のデータを迅速且つ簡単に読み出すことが出来ないようにすることができる。
【発明を実施するための最良の形態】
【００２０】
以下に、図面を参照して、本願に係る発明を実施するための最良の形態について説明する。図１は本発明の第１実施形態である記憶装置用破壊装置の概略構成図、図２はその記憶装置用破壊装置を用いて破壊するハードディスクドライブの概略断面図である。本実施形態の記憶装置用破壊装置（以下、単に破壊装置とも称する。）は、手動でハードディスクドライブに磁性液剤等の液剤を注入することにより、ハードディスクドライブを破壊するものである。
【００２１】
図１に示すように、本実施形態の破壊装置１は、ハードディスクドライブ内に液剤Ａを注入するためのシリンダーガン状に形成された液剤押出装置１０と、液剤押出部１０と一体的に構成されたノズル挿入装置２０とを備えている。液剤押出装置１０は、液剤Ａを収納する液剤収納部１１と、液剤収納部に連通する、液剤収納部１１に収納した液剤Ａを外部に噴出するためのノズル部１２と、液剤収納部１１に収納された液剤Ａを押し出すためのピストンロッド１３と、を備えている。本実施形態の液剤押出装置１０は、ポンプ機構を用いて液剤を押し出して、ハードディスクドライブ内に注入するものである。ノズル挿入装置２０は、略プライヤーと同様の構成をしており、ハードディスクドライブを挟むようにして挟持する顎状の挟持部２１と、手で持って操作するための把持部２２とを備えており、把持部２２を操作することにより、挟持部２１を開いたり、閉じたりすることができる。図１に示すように、挟持部２１の一方には、液剤押出装置１０のノズル部１２が取着され、把持部２２の一方には、液剤収納部１１が取着されている。本実施形態のノズル挿入装置２０は、挟持部２１でハードディスクドライブを挟み、ハードディスクドライブの後述する呼吸孔にノズル部１２の先端部を挿入するためのものである。
【００２２】
被破壊ハードディスクドライブ１００は、図２に示すように、筺体部１０１と、筺体部内に収納された磁気ディクス部１０２と、磁気ディスク部１０２に対して磁気データを読み書きするための磁気ヘッド部１０３と、気圧変化や気温変化による筺体部の膨張・収縮を防止するための呼吸孔１０４と、呼吸孔１０４を封止するためのシール部１０５と、筺体部１０１内に入る塵や埃の侵入を除去するためのフィルタ部１０６とを備える。
【００２３】
本実施形態の破壊装置１を用いてハードディスクドライブを破壊するときには、まずコンピュータからハードディスクドライブを取り外す。次に、取り出したハードディスクドライブ１００を本破壊装置１のノズル挿入装置２０の挟持部２１で挟む。このとき、ノズル部１２の先端がハードディスクドライブの呼吸孔１０４に貼られたシール部１０５の上に位置するようにして挟み、力を入れて把持部２２を握る。これにより、ノズル部の先端がシール部１０５とフィルタ部１０６を破って、ノズル部の先端部がハードディスクドライブ１００内に挿入される。次に、液剤押出装置１０のピストンロッド１３を押して、液剤収納部１１に収納された液剤Ａをハードディスクドライブ１００内に注入する。
【００２４】
本実施形態で使用する液剤Ａは、磁性液剤、導電性液剤、接着液剤或いは化学溶剤である。磁性液剤とは、磁気を帯びた液剤であり、ハードディスクドライブ内に注入するだけで、ハードディスクドライブの磁気ディスク部に記憶したデータを破壊することができる。なお、磁性液剤としては、市販されている磁性流体を用いることもできる。磁性流体は、固体の磁性体と同様、磁界に反応する液剤であり、この磁性流体が硬磁性体であれば、この磁性流体をハードディスクドライブ内に注入することにより、磁気ディスク部に記憶したデータを破壊することができる。
【００２５】
液剤として導電性液剤を用いる場合、ハードディスクドライブ内に液剤を注入した後、ハードディスクドライブの端子に電圧を印加して、導電性液剤によって端子間をショートさせることにより、磁気ディスク部に記憶したデータを破壊することができる。
【００２６】
液剤として接着液剤を用いる場合、ハードディスクドライブ内に液剤を注入した後、その接着液剤が固化することにより、ハードディスクドライブを動作不能とすることができる。
【００２７】
液剤として化学溶剤を用いる場合、ハードディスクドライブ内に液剤を注入することによって、ディスク表面に形成されている磁性膜（表面被膜部）を化学的に溶解し、磁気ディスク部に記憶したデータを破壊することができる。
【００２８】
なお、ハードディスクドライブ内に注入する液剤の量は、ハードディスクドライブの内部全体に充填することができる量であることが望ましい。少なくとも、磁気ディスク部が液剤に浸る位の量を注入することが望ましい。
【００２９】
上記の本実施形態によれば、落としても壊れないように堅牢に製造されているハードディスクドライブを、液剤を注入することにより、容易に、且つ迅速・確実に破壊することができる。
【００３０】
また、本実施形態によれば、液剤として磁性液剤や接着液剤や化学液剤を用いることにより、電源がなくても、ハードディスクドライブを破壊することができる。
【００３１】
また、本実施形態によれば、例えば、液剤として導電性液剤や磁性液剤や化学溶剤を使用するときには、これらの液剤を再充填して、本破壊装置を再利用することが可能である。
【００３２】
図３は本発明の第２実施形態である破壊装置の概略構成図、図４は第２実施形態の破壊装置の動作時の概略図である。第２実施形態の破壊装置５０は、図３に示すように、液剤用弁５１ａを有する、液剤Ａを収納するための液剤収納部５１と、液剤収納部５１に収納した液剤をハードディスクドライブ１００内に注入するための、液剤収納部５１と連通するノズル部５２と、液剤収納部５１内に設けられた伸縮自在なガス収納部（不図示）と高圧ガス用弁５３ａを介して連通する高圧ガス収納部５３と、液剤Ａをハードディスクドライブ内に注入するための操作部である引抜ピン５４とを備える。本実施形態の破壊装置は、高圧ガスのガス圧を用いて液剤をハードディスクドライブ内に注入するものである。
【００３３】
本実施形態の破壊装置５０は、液剤収納部５１とノズル部５２とがフレキシブルな連結用のパイプ部５５で連結されている。また、本実施形態の破壊装置５０のノズル部５２は、ばね部材５６により下方に附勢され、引抜ピン５４により下方への移動が阻止されている。したがって、引抜ピン５４を引き抜くことにより、ノズル部５２は、ばね部材５６の附勢力により下方に押し付けられる。また、本実施形態の破壊装置５０の液剤収納部５１には、引抜ピン５４の引き抜き操作により開放状態となる液剤用弁５１ａが設けられている。この液剤用弁５１ａは、常時は閉状態となっており、引抜ピン５４が引き抜かれると、開状態となり、液剤収納部５１に収納した液剤はノズル部５２に流れ込む。また、高圧ガス収納部５３にも、上述したように、引抜ピン５４の引き抜き操作により開放状態となる高圧ガス用弁５３ａが設けられている。この高圧ガス用弁５３ａも、常時は閉状態となっており、引抜ピン５４が引き抜かれると、開状態となる。高圧ガス用弁５３ａが開状態になると、高圧ガスが液剤収納部１１内に設けられた伸縮自在なガス収納部に噴出し、液剤収納部１１に収納した液剤をノズル部に押し出すことができる。
【００３４】
第２実施形態の破壊装置は、図３に示すように、コンピュータに搭載されているハードディスクドライブの呼吸孔のシール１０５上にノズル部５２の先端が位置するように、また、引抜ピン５４がコンピュータの筺体の外部に露出するようにして、ハードディスクドライブと一体的に、コンピュータ内に設けられる。本実施形態の破壊装置を用いて、ハードディスクドライブを破壊するには、引抜ピン５４を引き抜くことにより、いつでも、瞬時に、ハードディスクドライブを破壊することができる。すなわち、引抜ピン５４を引き抜くことにより、図４に示すように、ばね部材の弾発力によりノズル部５２の先端部が呼吸孔のシール部とフィルタ部とを突き破ってハードディスクドライブ内に挿入され、同時に、高圧ガス用弁と液剤用弁が共に開状態となり、高圧ガスが液剤収納部の高圧ガス収納部に噴出し、これにより液剤収納部内に収納された液剤がノズル部を介して、ハードディスクドライブ内に注入される。これにより、上述した、第１実施形態と同様に、ハードディスクドライブを破壊することができる。また、第２実施形態の破壊装置も、液剤として磁性液剤や接着液剤や化学溶剤を用いることにより、電源がなくても、瞬時にハードディスクドライブを破壊することができる。
【００３５】
また、本発明の第２実施形態は、高圧ガス収納部をカセットボンベのように着脱自在の構成とすることにより、再利用することも可能である。第２実施形態の破壊装置のその他の作用・効果は第１実施形態のものと同様である。したがって、例えば、第２実施形態の破壊装置は、コンピュータ内にハードディスクドライブと一体的に構成するのではなく、第１実施形態と同様にして、コンピュータから取り出したハードディスクドライブを破壊することもできる。
【００３６】
尚、本発明は上記の実施形態に限定されるものではなく、その要旨の範囲内において種々の変形が可能である。
【００３７】
例えば、上述した実施形態では、ハードディスクドライブに一つの孔（呼吸孔）が形成されている場合について説明したが、ハードディスクドライブによっては、複数の孔があけられているものもある。例えば、ハードディスクドライブのなかには、ハードディスクドライブを組み立てた後に、必要な情報を磁気ディスク部に書き込むための孔が呼吸穴とは別個にあけられているものがある。このような場合には、呼吸孔ではなく、この孔にノズル部を挿入してハードディスクドライブを破壊するようにしてもよい。
【００３８】
また、第１実施形態の破壊装置は、第２実施形態と同様に、ハードディスクドライブと一体的に構成して、コンピュータ内に組み込み、ばね部材等を用いてワンタッチで液剤をハードディスクドライブ内に注入するようにしてもよい。
【００３９】
また、本発明の液剤は、磁性液剤、導電性液剤、接着液剤、化学溶剤に限定されるものではなく、ハードディスクドライブが記憶する磁気データを破壊することができるもの、あるいはハードディスクドライブを動作不能とするものであれば、どのような液剤であってもよい。
【００４０】
また、本発明は、第１実施形態のノズル挿入装置を省略し、液剤収納装置を医療用の注射器と同様に直線状に形成し、人の手で、ノズル部をハードディスクドライブの呼吸孔に挿入して、液剤をハードディスクドライブ内に注入するようにしてもよい。
【００４１】
また、本発明の記憶装置は、ハードディスクドライブに限られるものではなく、液剤を注入することができる記憶装置であれば、どのようなものであってよい。例えば、バックアップ用の磁気テープやＩＣメモリ等であってもよい。
【産業上の利用可能性】
【００４２】
以上説明したように、本発明にかかる破壊装置は、液剤をハードディスクドライブ等の記憶装置内に注入することにより、簡易な構成によって、記憶装置内のデータを迅速且つ簡単に読み出すことができないようにすることができる。したがって、本発明は、データを記憶する各種の記憶装置を破壊する記憶装置用破壊装置に適用することができる。
【図面の簡単な説明】
【００４３】
【図１】図１は本発明の第１実施形態である記憶装置用破壊装置の概略構成図である。
【図２】図２は本実施形態の記憶装置用破壊装置を用いて破壊するハードディスクドライブの概略断面図である。
【図３】図３は本発明の第２実施形態である破壊装置の概略構成図である。
【図４】図４は第２実施形態の破壊装置の動作を説明するための概略図である。
【符号の説明】
【００４４】
１  破壊装置
１０  液剤押出装置
１１  液剤収納部
１２  ノズル部
１３  ピストンロッド
２０  ノズル挿入装置  
２１  挟持部
２２  把持部
５０  破壊装置
５１  液剤収納部
５１ａ  液剤用弁
５２  ノズル部
５３  高圧ガス収納部
５３ａ  高圧ガス用弁
５４  引抜ピン
５５  パイプ部
５６  ばね部材
１００  ハードディスクドライブ
１０１  筺体部
１０２  磁気ディスク部
１０３  磁気ヘッド部
１０４  呼吸孔
１０５  シール部
１０６  フィルタ部
【図１】
2009004008.tif 000003
【図２】
2009004008.tif 000004
【図３】
2009004008.tif 000005
【図４】
2009004008.tif 000006